(57)【要約】【課題】ダクトで導入した外気を後部熱交換器へ導くための密閉空間をなすディフューザの前端周縁にシール部材を設けて、空気調和機の運転と同時に室内空気の換気を効率よく行なえる外気導入装置を備えた空気調和機を提供する。【解決手段】据付板２に連通孔２ａを、ベース６に吸気孔６ａを夫々設け、前記連通孔２ａの周縁に、壁孔Ｃを挿通してダクトの一端に接続される接続部Ｄを備えたダクトフランジ１５を取り付けると共に、前記吸気孔６ａと後部熱交換器１１との間に、一端に接続口２０を備え、他端に連通口２１を備えると共に、同連通口２１に係止爪２２を一体成形したディフューザ２３を設けると共に、同ディフューザ２３の前端周縁に、前記後部熱交換器１１との間をシールするシール部材２５を設けた。【選択図】  図１
2004271058.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、前記ダクトにより導入された外気を前記後部熱交換器へ導くディフューザを設けると共に、同ディフューザの前端周縁に、前記後部熱交換器との間をシールするシール部材を設けてなることを特徴とする空気調和機。
【請求項２】
前記シール部材が弾性を有する部材からなることを特徴とする請求項１に記載の空気調和機。
【発明の詳細な説明】
【０００１】
【発明の属する技術分野】
本発明は、空気調和機に係わり、より詳細には、ダクトで導入した外気を後部熱交換器へ導くための密閉空間をなすディフューザの前端周縁にシール部材を設けて、空気調和機の運転と同時に室内空気の換気を効率よく行なえる外気導入装置を備えた構造に関する。
【０００２】
【従来の技術】
従来の外気導入装置を備えた空気調和機には、作業性が良好なダクトの取付構造によって熱交換器の風上側に外気を導入できるものとして、被空調室の壁面に壁孔を設け、据付板に前記壁孔に対応する連通孔を設け、後部熱交換器の風上側となるベースの背面に、前記連通孔に対応する吸気孔を設け、ねじ孔を備えた前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を介装したものがあった（例えば、特許文献１参照。）。
【０００３】
しかしながら、前記後部熱交換器の背面側に、外気を導くための密閉空間をなすディフューザが設けられておらず、また、同ディフューザの前端周縁に、前記後部熱交換器との間をシールするシール部材が設けられていないことから、空気調和機の運転と同時に室内空気の換気を行なう際、外気を更に効率よく導いて換気性能を向上させるように構成する必要があった。
【０００４】
【特許文献１】
特開２００３−２１３５８号公報（第３頁、第４図）
【０００５】
【発明が解決しようとする課題】
本発明においては、上記の問題点に鑑み、ダクトで導入した外気を後部熱交換器へ導くための密閉空間をなすディフューザの前端周縁にシール部材を設けて、空気調和機の運転と同時に室内空気の換気を効率よく行なえる外気導入装置を備えた空気調和機を提供することを目的とする。
【０００６】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に前記連通孔に対応する吸気孔を夫々設け、前記連通孔の周縁に、前記壁孔を挿通してダクトの一端に接続される接続部を備えたダクトフランジを取り付け、前記吸気孔と前記後部熱交換器との間に、前記ダクトにより導入された外気を前記後部熱交換器へ導くディフューザを設けると共に、同ディフューザの前端周縁に、前記後部熱交換器との間をシールするシール部材を設けてなる構成となっている。
【０００７】
また、前記シール部材が弾性を有する部材からなる構成となっている。
【０００８】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部斜視図で、（Ａ）はディフューザの斜視図、（Ｂ）はディフューザの係止爪および後部熱交換器のフィンの斜視図であり、図３は本発明による空気調和機の要部断面図である。
【０００９】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１０】
前記本体Ａは、背面上部に前記据付板２の係止爪１に係脱可能に係止される係止部３を備え、背面下部に接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００１１】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部Ｄを備えたダクトフランジ１５が、前記ねじ孔にねじ締めされることによって取り付けられている。
【００１２】
同時に、前記据付板２および前記ベース６の間には、前記連通孔２ａおよび前記吸気孔６ａを連通した状態でシールするシール部材１６が介装されることにより、該箇所の気密性を高めて導入された外気が漏れないように構成されている。
【００１３】
また、前記ダクト１４の他端には、開口面積を拡開させる拡開部１７を備えたノズル１８が設けられ、同ノズル１８の開口部には集塵用のフィルタ１９が設けられ、前記吸気孔６ａと前記後部熱交換器１１との間には、一端に前記吸気孔６ａに接続される接続口２０を備え、他端に同接続口２０よりも大径で形成された連通口２１を備えると共に、同連通口２１には前記後部熱交換器１１の伝熱管１１ａ  に係止する係止爪２２を一体に形成したディフューザ２３が設けられた構成になっている。
【００１４】
前記係止爪２２は、図１（Ａ）および図１（Ｂ）で示すように、前記後部熱交換器１１に対し前記ディフューザ２３を上方から組み付けて前記伝熱管１１ａ  に係止されるように形成されているので、前記ベースに設けた吸気孔６ａと前記後部熱交換器１１との間に、外気導入用の前記ディフューザ２３を容易に、且つ正確に取り付けることができるようになっている。
【００１５】
これにより、前記ノズル１８から外気を導入する際、同ノズル１８の開口部に前記フィルタ１９が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００１６】
また、前記ノズル１８が前記拡開部１７を備えることによって開口面積が拡開されたことにより、該箇所に図示しない補助ファンを取り付けやすくした構造になっているので、前記送風ファン１３による外気導入のための負圧が不足している場合には補助ファンを容易に取付できるので便利である。
【００１７】
そして、図１（Ｂ）と、図２（Ａ）および図２（Ｂ）とで示すように、前記ディフューザ２３の前端周縁に、前記後部熱交換器１１との間をシールするシール部材２５を設けることによって、該箇所の機密性を高めることができるようになり、前記送風ファン１３による負圧を最大限に利用して更に外気の流通性能を向上させることができるようになっている。
【００１８】
なお、前記シール部材２５は弾性を有する部材からなる構成になっているので、前記ディフューザ２３の前端周縁と、前記後部熱交換器１１との間を効果的にシールできるようになるので、該箇所の機密性を高めるのに有効である。
【００１９】
また、前記ダクトフランジ１５は、前記据付板２の連通孔２ａの周縁にねじ締めされて取り付けられたのち、前記接続部Ｄが前記壁孔Ｃを挿通するように構成されているので、本体Ａが取り扱いやすくなり、例えば本体Ａを構成する前記ベース６の吸気孔６ａに取り付けられた場合に比べて据え付けのための作業性が大幅に改善されることになる。
【００２０】
また、図３で示すように、前記ダクトフランジ１５に外気が導入されないように遮蔽するための遮蔽体２６を設けることにより、換気運転をしたくない場合に前記ダクトフランジ１５を遮蔽できるようにしてもよい。
【００２１】
【発明の効果】
以上説明したように、本発明によれば、本体背面から導出し壁孔を通したダクトフランジに径の異なるダクトを容易に接続して、空気調和機の運転と同時に室内空気の換気を行なえる外気導入装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部説明図で、（Ａ）はディフューザの斜視図であり、（Ｂ）はディフューザの係止爪および後部熱交換器のフィンの斜視図である。
【図３】本発明による空気調和機の要部断面図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１５  ダクトフランジ
１６  シール部材
１７  拡開部
１８  ノズル
１９  フィルタ
２０  接続口
２１  連通口
２２  係止爪
２３  ディフューザ
２４  断熱部材
２５  シール部材
Ａ  本体
Ｂ  壁面
Ｃ  壁孔
Ｄ  接続部
【図１】
2004271058.tif 000003
【図２】
2004271058.tif 000004
【図３】
2004271058.tif 000005